(57)【要約】【課題】戸袋の施工などを必要とすることなく、大きな荷物の出し入れも簡単になしうる開口部の構造を提供する。【解決手段】開口部の内側に複数枚の引き戸がスライド移動可能に配置され、引き戸が連続的に配されて開口部を遮閉する遮蔽状態と、引き戸相互が重なる位置にスライドすることにより開口部の一部が開放開口部として開口する開口状態とに変化可能に構成される開口部の構造において、前記開口状態において重なる双方の引き戸は、相互に重なるとともに前記開放開口部に連続する領域に配され、かつ開閉可能な補助開口部が形成されることを特徴とする。【選択図】図１
2008008051.tif 000002
【特許請求の範囲】
【請求項１】
開口部の内側に複数枚の引き戸がスライド移動可能に配置され、引き戸が連続的に配されて開口部を遮閉する遮蔽状態と、引き戸相互が重なる位置にスライドすることにより開口部の一部が開放開口部として開口する開口状態とに変化可能に構成される開口部の構造において、
前記開口状態において重なる双方の引き戸は、相互に重なるとともに前記開放開口部に連続する領域に配され、かつ開閉可能な補助開口部が形成されることを特徴とする開口部の構造。
【請求項２】
前記開口部は、収納部の前面に配されるとともに、収納物の出し入れ口を形成し、
この収納部は、内部が複数に区画された区画収納部を有し、
前記補助開口部は、開放開口部から連続する領域が、一の区画収納部に向いて形成されることを特徴とする請求項１記載の開口部の構造。
【請求項３】
前記開口部は、廊下と居室との間に配されるとともに、廊下と居室との間の出入り口を形成し、
前記補助開口部は、床面から立ち上がる低位の領域に形成されて、前記開放開口部と連続して広幅の開口を形成し、床面上を移動する幅広の移動体を通過可能とすることを特徴とする請求項１記載の開口部の構造。
【請求項４】
前記補助開口部は、スライド移動可能な子引き戸により開閉可能に構成されることを特徴とする請求項１〜３のいずれかに記載の開口部の構造。
【請求項５】
前記補助開口部は、子折れ戸により開閉可能に構成されることを特徴とする請求項１〜３のいずれかに記載の開口部の構造。
【発明の詳細な説明】
【技術分野】
【０００１】
本発明は、開口部の内側に複数枚の引き戸がスライド移動可能に配置され、便利に品物を移動できる開口部の構造に関する。
【背景技術】
【０００２】
収納部の前面に形成され、収納物を出し入れする開口部、或いは廊下と居室との間に形成された出入り口としての開口部などは、使用状態に応じてスライド移動により開閉可能とすることのできる引き戸が設けられる。しかしながら、引き戸はスライド移動して複数枚（通常は２枚）を重ねることにより、開口部の一部に開放開口部が形成されるものの、通常その大きさは開口部の約半分の大きさに制限されることから、大きな荷物などを出し入れする際には、重なる引き戸が障害となって、作業効率が悪く、最悪出し入れできない場合がある。
【０００３】
そこで、開口部に隣接する壁内部に引き戸全体を収容する戸袋を設けることにより、開口部全体を開放する構造が提案されている（例えば、特許文献１参照）。
【０００４】
【特許文献１】特開２００２−３０３０８０号公報
【発明の開示】
【発明が解決しようとする課題】
【０００５】
しかしながら、開口部に隣接する壁の中に、戸袋を形成するスペースが必要となることから、開口部を形成する位置に制約が生じる。特に大きな収納部の前に設けた開口部においては、平面プラン上の納まり条件から、戸袋を形成できない場合が多く見受けられる。また戸袋を形成するためには、造作に複雑な作業を伴うことから、施工性が悪く工期が長引くという問題も生じる。
【０００６】
本発明は、開口状態において重なる双方の引き戸は、相互に重なるとともに前記開放開口部に連続する領域に配され、かつ開閉可能な補助開口部が形成されるを基本とし、戸袋の施工などを必要とすることなく、大きな荷物の出し入れも簡単になしうる開口部の構造の提供を課題としている。
【課題を解決するための手段】
【０００７】
前記目的を達成するために、請求項１に係る発明では、開口部の内側に複数枚の引き戸がスライド移動可能に配置され、引き戸が連続的に配されて開口部を遮閉する遮蔽状態と、引き戸相互が重なる位置にスライドすることにより開口部の一部が開放開口部として開口する開口状態とに変化可能に構成される開口部の構造において、前記開口状態において重なる双方の引き戸は、相互に重なるとともに前記開放開口部に連続する領域に配され、かつ開閉可能な補助開口部が形成されることを特徴とする。
【０００８】
請求項２に係る発明では、前記開口部は、収納部の前面に配されるとともに、収納物の出し入れ口を形成し、この収納部は、内部が複数に区画された区画収納部を有し、前記補助開口部は、開放開口部から連続する領域が、一の区画収納部に向いて形成されることを特徴とする。
【０００９】
請求項３に係る発明では、前記開口部は、廊下と居室との間に配されるとともに、廊下と居室との間の出入り口を形成し、前記補助開口部は、床面から立ち上がる低位の領域に形成されて、前記開放開口部と連続して広幅の開口を形成し、床面上を移動する幅広の移動体を通過可能とすることを特徴とする。
【００１０】
請求項４に係る発明では、前記補助開口部は、スライド移動可能な子引き戸により開閉可能に構成され、請求項５に係る発明において、前記補助開口部は、子折れ戸により開閉可能に構成されることを特徴とする。
【発明の効果】
【００１１】
請求項１に係る発明においては、開口状態において重なる双方の引き戸には、相互に重なるとともに前記開放開口部に連続する領域に配され、かつ開閉可能な補助開口部が形成されるため、開放開口部及び補助開口部を通じて大型の荷物を楽に出し入れできる。また補助開口部は、比較的小形に構成されることから、その開閉作業は、比較的容易に行なえるため、荷物の出し入れを迅速に行なえるとともに、非力な高齢者でも簡単に操作できる。
【００１２】
請求項２に係る発明のように、内部が複数に区画された区画収納部を有する収納部の出し入れ口からなる開口部において、連続する補助開口部と開放開口部とを、一の区画収納部に対向して形成すると、区画収納部に出し入れする大型の収納物を楽に搬入、搬出できるとともに、内部の収納物の有無、及び内容確認も、簡単かつ確実に行なうことができる。
【００１３】
請求項３に係る発明のように、廊下と居室との間に配されるとともに、廊下と居室との間の出入り口を形成する開口部において、補助開口部を床面から立ち上がる低位の領域に補助開口部を設けると、開放開口部と連続して形成される広幅の開口を通して、比較的大型の物品を床面上を移動させなが、楽に搬入、搬出できる。従って、重量物であっても、力を要することがないことから、女性、高齢者においても安全に作業しうる。
【００１４】
請求項４に係る発明のように、スライド移動可能な子引き戸によって補助開口部を開閉可能に構成すると、スペースを要することがないことから、補助開口部をコンパクトに形成でき、請求項５に係る発明のように、補助開口部に子折れ戸を用いると、簡単な操作によって補助開口部を確実に開閉しうる。
【発明を実施するための最良の形態】
【００１５】
以下、本発明の実施の一形態を、図示例とともに説明する。図１に示すように、開口部の構造１は、建物の主に間仕切壁（但し外壁を含む）からなる壁に形成されて、例えば押入れ、クローゼットなどの収納部への収納物の出し入れ、或いは居室と廊下との間の出入りなどに供される開口部２において構成される。本形態の開口部２は、図１に示すように、押入れからなる収納部６の前縁部に、収納物を出し入れする出し入れ口７として設けられた矩形状の空所によって構成されたものが例示される。
【００１６】
前記開口部２は、本形態では、上下に鴨居２１、敷居２２が設けられ、この鴨居２１、敷居２２間に複数枚の引き戸３が取り付けられる。即ち開口部２の内側には、複数枚の引き戸３（所謂引き違い戸）がスライド移動可能に設けられる。
【００１７】
このように構成された開口部２においては、図３（Ａ）に示すように、複数枚（本形態では２枚）の引き戸３を連続的に配置することにより開口部２を遮閉することができる。本明細書では、この状態を遮蔽状態という。一方図３（Ｂ）に示すように、引き戸３相互を重なる位置にスライド移動するすることにより、開口部２の略半分の領域を開放開口部４として開口させることができる。本明細書では、この状態を開口状態という。そして、引き戸３をスライド移動することにより、遮蔽状態及び開口状態を変化可能とすることができる。
【００１８】
また本形態では、前記収納部６は、略中間高さに棚板２３が架け渡されて、これにより内部空間が上下に区画された区画収納部８を形成している。棚板２３を三段以上設けることにより複数の区画収納部８を設けることもできる。
【００１９】
本例の引き戸３は、基本形態として縦フレーム材、横フレーム材を矩形状に枠組みした外周枠２４の内側に補強桟２５を架け渡し形成された木製のパネルフレーム２６の両側に、化粧板、合板などの板材２７を貼着したフラッシュパネルにより構成されたものが例示される。そして、外周枠２４を構成する上枠の上面、下枠の下面には、前記開口部２の鴨居２１、敷居２２に係合する凸部が形成される。またフラッシュパネルのほか、無垢木材、修正木材を枠状に加工し組立てた框組みの構造とすることもよい。更には、鋼板を折り曲げて形成し、又はプラスチック、アルミニウムの押出し成形材を組立てて形成することもできる。
【００２０】
図２に示すように、引き戸３は、開閉可能な子引き戸１１を有する補助開口部５が形成される。この補助開口部５は、複数枚の引き戸３が相互に重なり合って開口状態を構成する双方の引き戸３において、相互に重なる領域で、かつ前記開放開口部４に連続する領域に形成される。本形態では、図３（Ｂ）に示すように、２枚の引き戸３を有し、かつ開口部２の図面上右側の領域で重なることにより、開口部２の左側に、開放開口部４が形成されることから、図２に示すように、双方の引き戸３の左側の下位に補助開口部５が形成される。従って、図３（Ｂ）に示す開口状態において、２枚の引き戸３の補助開口部５が重なることにより開放開口部４と連続した横長大寸法の開口が形成されるため、この空所を通して、横長の大きな収納物２９を簡単に出し入れすることができる。更には遮蔽状態において、一方の子引き戸１１のみを開けることにより、小さな収納物を迅速に出し入れすることができる。
【００２１】
また本形態では前記の如く、上下に区画された区画収納部８の内、下に配された区画収納部８に向き合って補助開口部５が形成されている。このように補助開口部５を、一つの区画収納部８に向いて形成すると、例え大型の収納物であっても、その区画収納部８に対して楽に搬入、搬出することができる。更にその区画収納部８の内部は、隅々まで見易いことから、収納物の確認なども簡単かつ確実に行なうことができる。本形態では、下の区画収納部８に向いて補助開口部５を形成しているが、上の区画収納部８に対向して補助開口部５を配置することもよい。
【００２２】
本形態の引き戸３は、図２に示すように、補強桟２５より下の略４分の１の領域を切除して補助開口部５を形成している。なお補助開口部５側に配される縦フレーム材は、上枠から垂下して補強桟２５で終端している。また補強桟２５の下面、外周枠２４を構成する下枠２８の上面には、全長に亘って支持溝３０Ｕ、３０Ｄが形成される。
【００２３】
本形態では、前記子引き戸１１は、上下端部を前記支持溝３０Ｕ、３０Ｄに係合して支持されることにより、補助開口部５とこれに隣接した領域で、表裏の板材２７、２７に挟まれた隙間により形成される戸袋部３２と、補助開口部５との間をスライド移動可能に支持されることにより、補助開口部５を開閉可能としている。即ち、図３（Ａ）に示すように、開口部２が遮蔽状態においては、子引き戸１１により補助開口部５も遮蔽される。他方図３（Ｂ）に示すように、開口部２が開口状態においては、子引き戸１１は前記戸袋部３２へ移動することにより、補助開口部５がオープンして、前記の如く開放開口部４と連続した広幅の開口が形成される。本形態の如く、スライド移動して補助開口部５を開閉可能とする子引き戸１１を設けると、子引き戸１１がコンパクトに構成できることから、補助開口部５を納まりよく形成しうる点で好ましい。また小面積に形成される補助開口部５を開閉する子引き戸１１は、小形に形成されることから、そのスライド移動操作は小さな力で容易に行なうことができるため、収納物の出し入れを迅速に行なうことができ、しかも非力な高齢者、女性においても簡単に作業できる。
【００２４】
本形態の子引き戸１１は、前記支持溝３０Ｕ、３０Ｄの外端部に突設された係止片（図示せず）に係合することにより、補助開口部５からの飛び出しを防止している。しかしながら、図４に示すように、前記係止片を設けることなく、子引き戸１１を逆に支持溝３０Ｕ、３０Ｄから外側へスライド移動させて、補助開口部５から取り外すことにより、補助開口部５を開閉することもできる。この場合には、引き戸３に戸袋部３２の造作が不要となるため、引き戸３の剛性が向上する点で好ましい。
【００２５】
図５は他の実施形態を例示している。以下異なる内容について説明し、それ以外は図中に表れた主要構成に同じ符号を付すだけとする。本形態の開口部の構造１では、収納部６の開口部２に４枚戸の引き戸３が設けられ、図６に示すように、内側に配される２枚の引き戸３を各々外側へスライド移動することにより、中央部に開口部２の略半分の巾を有する開放開口部４が形成される。しかも、各引き戸３において、向かって左側の２枚の引き戸３は、右下の領域に補助開口部５が形成され、逆に向かって右側の２枚の引き戸３は、左下の領域に補助開口部５が形成されている。その結果、子引き戸１１を開けると、開放開口部４から左右の補助開口部５へとのびる広幅の開口が形成されることから、大型の収納物を支障なく出し入れできる。
【００２６】
図７は更に他の実施形態を例示している。本形態の開口部２は、廊下と居室とを隔てる間仕切り壁３１に設けられ、出入り口９として使用されるものが例示される。本形態の引き戸３には、床面１０から立ち上がる低位の領域に補助開口部５が形成される。なおここで、床面１０から立ち上がるとは、床面１０から連続して立ち上がるという意味のほか、床面１０から敷居、或いは引き戸３の外周枠２４の下枠などを隔てて略連続的に立ち上がる場合を含むものとする。
【００２７】
このように構成された開口部の構造１において、一方の引き戸３をスライド移動することによって双方の引き戸３を重ね合わせると、開放開口部４が形成されるとともに、その下位部分で連続する補助開口部５と繋がった広幅の開口が形成される。従って、この広幅の開口を通して、例えばベッドなどの比較的大型で、特に広幅の品物を床面に沿って移動させながら楽に搬入、搬出することができ、その結果重量物であっても、品物の向きを横に傾けたりすることなく楽に運べるため、非力な女性、高齢者においても安全に作業できる。
【００２８】
図８は更に他の実施形態を例示している。本形態の引き戸３では、補助開口部５が上部に形成されることから、開放開口部４及び補助開口部５が連続する領域が、上位の区画収納部８と向き合って形成される。
【００２９】
更に本形態の補助開口部５には、子折れ戸１２が取り付けられ、この子折れ戸１２を二つ折りにすることによって補助開口部５を開閉できる。なお双方の引き戸３は、子折れ戸１２相互が干渉しないように、各々外側に向けて折れ曲がって開くように構成される。このように、補助開口部５に子折れ戸１２を用いると、簡単な操作によって補助開口部５を確実に開閉できる点で好ましい。
【００３０】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３１】
【図１】本発明の一実施の形態を例示する斜視図である。
【図２】引き戸の分解斜視図である。
【図３】その使用状態を例示し、（Ａ）は遮蔽状態、（Ｂ）は開口状態の正面図である。
【図４】他の引き戸を例示する分解斜視図である。
【図５】他の実施形態を例示する斜視図である。
【図６】その開口状態を示す正面図である。
【図７】更に他の実施形態を例示する斜視図である。
【図８】更に他の実施形態を例示する斜視図である。
【符号の説明】
【００３２】
１      開口部の構造
２      開口部
３      引き戸
４      開放開口部
５      補助開口部
６      収納部
７      出し入れ口
８      区画収納部
９      出入り口
１０      床面
１１      子引き戸
１２      子折れ戸
【図１】
2008008051.tif 000003
【図２】
2008008051.tif 000004
【図３】
2008008051.tif 000005
【図４】
2008008051.tif 000006
【図５】
2008008051.tif 000007
【図６】
2008008051.tif 000008
【図７】
2008008051.tif 000009
【図８】
2008008051.tif 000010